(57)【要約】      （修正有）【課題】天板体の上面から木質感が感得され、和風建物に相応しい天板体とすることができる収納ケースを提供する。【解決手段】前面及び上面が開口した合成樹脂製の枠本体１と、枠本体の上面を覆う天板体２と、枠本体及び天板体からなる本体Ｄの前面の開口部を介して引出収納自在に設けられ、上面が開口した合成樹脂製の引出体とからなり、天板体は木材製の四角板部材２ａ及び四角板部材の四辺縁部を覆う合成樹脂製の周囲枠部材２ｂからなり、周囲枠部材に四角板部材の底面に掛止可能な複数個の掛止爪部Ｃを配設してなる。【選択図】図３
0003224317.tif 000002
【実用新案登録請求の範囲】
【請求項１】
前面及び上面が開口した合成樹脂製の枠本体と、該枠本体の上面を覆う天板体と、該枠本体及び天板体からなる本体の前面の開口部を介して引出収納自在に設けられ、上面が開口した合成樹脂製の引出体とからなり、上記天板体は木材製の四角板部材及び該四角板部材の四辺縁部を覆う合成樹脂製の周囲枠部材からなり、該周囲枠部材に上記四角板部材の底面に掛止可能な複数個の掛止爪部を配設してなることを特徴とする収納ケース。
【請求項２】
前面及び上面が開口した上下に積み重ね可能な複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、上面が開口した複数個の合成樹脂製の引出体とからなり、上記天板体は木材製の四角板部材及び該四角板部材の四辺縁部を覆う合成樹脂製の周囲枠部材からなり、該周囲枠部材に上記四角板部材の底面に掛止可能な複数個の掛止爪部を配設してなることを特徴とする収納ケース。
【考案の詳細な説明】
【技術分野】
【０００１】
本考案は、例えば一般家庭に設置されて衣類や各種小物類等を整理収納する際に用いられる収納ケースに関するものである。
【背景技術】
【０００２】
従来、この種の収納ケースとして、前面及び上面が開口した合成樹脂製の枠本体と、枠本体の上面を覆う天板体と、枠本体及び天板体からなる本体の前面の開口部を介して引出収納自在に設けられ、上面が開口した合成樹脂製の引出体とからなる構造のものが知られている。
【先行技術文献】
【特許文献】
【０００３】
【特許文献１】特許第６４９０１１１号
【考案の概要】
【考案が解決しようとする課題】
【０００４】
しかしながらこれら従来構造の場合、上記天板体は合成樹脂製の四角板部材により形成され、天板体の上面は合成樹脂の固有の光沢が感得され、和風建物においては、必ずしも、畳の和室や居間、寝室などの和風空間に調和せず、相応しくないことがあるという不都合を有している。
【課題を解決するための手段】
【０００５】
本考案はこれらの不都合を解決することを目的とするもので、本考案のうちで、請求項１記載の考案は、前面及び上面が開口した合成樹脂製の枠本体と、該枠本体の上面を覆う天板体と、該枠本体及び天板体からなる本体の前面の開口部を介して引出収納自在に設けられ、上面が開口した合成樹脂製の引出体とからなり、上記天板体は木材製の四角板部材及び該四角板部材の四辺縁部を覆う合成樹脂製の周囲枠部材からなり、該周囲枠部材に上記四角板部材の底面に掛止可能な複数個の掛止爪部を配設してなることを特徴とする収納ケースにある。
【０００６】
又、請求項２記載の考案は、前面及び上面が開口した上下に積み重ね可能な複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、上面が開口した複数個の合成樹脂製の引出体とからなり、上記天板体は木材製の四角板部材及び該四角板部材の四辺縁部を覆う合成樹脂製の周囲枠部材からなり、該周囲枠部材に上記四角板部材の底面に掛止可能な複数個の掛止爪部を配設してなることを特徴とする収納ケースにある。
【考案の効果】
【０００７】
本考案は上述の如く、請求項１記載の考案にあっては、天板体は木材製の四角板部材及び四角板部材の四辺縁部を覆う合成樹脂製の周囲枠部材からなり、周囲枠部材に上記四角板部材の底面に掛止可能な複数個の掛止爪部を配設してなるから、四角板部材の四辺縁部を覆う周囲枠部材の複数個の掛止爪部が木材製の四角板部材の底面に係止することにより四角板部材の外周縁部に周囲枠部材を囲繞配設することができ、合成樹脂製の天板体に比べて天板体の剛性が向上し、全体の強度が向上し、耐久性を高めることができ、かつ、上記天板体の上面に木材製の四角板部材が露見することになり、天板体の上面から木質感が感得され、天板体の上面の木質感が和風建物の畳の和室や居間、寝室などの和風空間に調和し、和風建物に相応しい天板体とすることができる。
【０００８】
又、請求項２記載の考案にあっては、天板体は木材製の四角板部材及び四角板部材の四辺縁部を覆う合成樹脂製の周囲枠部材からなり、周囲枠部材に上記四角板部材の底面に掛止可能な複数個の掛止爪部を配設してなるから、四角板部材の四辺縁部を覆う周囲枠部材の複数個の掛止爪部が木材製の四角板部材の底面に係止することにより四角板部材の外周縁部に周囲枠部材を囲繞配設することができ、合成樹脂製の天板体に比べて天板体の剛性が向上し、全体の強度が向上し、耐久性を高めることができ、かつ、上記天板体の上面に木材製の四角板部材が露見することになり、天板体の上面から木質感が感得され、天板体の上面の木質感が和風建物の畳の和室や居間、寝室などの和風空間に調和し、和風建物に相応しい天板体とすることができる。
【図面の簡単な説明】
【０００９】
【図１】本考案の実施の第一形態例の全体斜視図である。
【図２】本考案の実施の第一形態例の分離斜視図である。
【図３】本考案の実施の第一形態例の分離斜視図である。
【図４】本考案の実施の第一形態例の枠本体の分解斜視図である。
【図５】本考案の実施の第一形態例の折畳状態の分離斜視図である。
【図６】本考案の実施の第一形態例の天板体の側断面図である。
【図７】本考案の実施の第一形態例の天板体の前部側断面図である。
【図８】本考案の実施の第一形態例の天板体の前部分離斜視図である。
【図９】本考案の実施の第一形態例の天板体の後部側断面図である。
【図１０】本考案の実施の第一形態例の天板体の後部分離斜視図である。
【図１１】本考案の実施の第一形態例の天板体の全体底面図である。
【図１２】本考案の実施の第一形態例の天板体の拡大部分底面図である。
【図１３】本考案の実施の第一形態例の天板体の拡大部分側断面図である。
【図１４】本考案の実施の第二形態例の全体斜視図である。
【図１５】本考案の実施の第二形態例の分離斜視図である。
【図１６】本考案の実施の第二形態例の分離斜視図である。
【図１７】本考案の実施の第二形態例の折畳状態の分離斜視図である。
【考案を実施するための形態】
【００１０】
図１乃至図１７は本考案の実施の形態例を示し、図１乃至図１３は請求項１の考案に対応する第一形態例、図１４乃至図１７は請求項２の考案に対応する第二形態例である。
【００１１】
図１乃至図１３の第一形態例において、大別して、合成樹脂製にして、図１、図２、図３の如く、枠本体１と、枠本体１の上面を覆う天板体２と、枠本体１及び天板体２からなる本体Ｄの前面の開口部を介して引出収納自在に設けられ、上面が開口した合成樹脂製の引出体３とから構成されている。
【００１２】
この場合、上記枠本体１は、図３の如く、合成樹脂製にして、底板１ａ、左右の側板１ｂ・１ｂ、後板１ｃからなり、前面及び上面が開口した枠状に形成され、上記引出体３は、図２の如く、合成樹脂製にして、底板３ａ、前板３ｂ、左右の側板３ｃ・３ｃ、後板３ｄからなり、上面が開口した容器状に形成され、図３、図４、図５の如く、上記底板１ａの左右辺部に上記枠本体１の左右の側板１ｂ・１ｂが起立状態Ｓ１ｂと枠本体１の底板１ａの上面に沿った倒伏状態Ｔ１ｂとに折畳自在に配置され、かつ、上記枠本体１の底板１ａの後辺部に上記枠本体１の後板１ｃが起立状態Ｓ１ｃと枠本体１の底板１ａの底面に沿った倒伏状態Ｔ１ｃとに途中位置Ｍを経て折畳自在に配置され、上記枠本体１の底板１ａの上面に枠本体１の左右の側板１ｂ・１ｂが枠本体１の底板１ａの上面に沿って折り畳まれると共に枠本体１の底板１ａの底面に枠本体１の後板１ｃが枠本体１の底板１ａの底面に沿って折り畳まれ、かつ、この場合、図２、図３の如く、上記枠本体１の上記底板１ａの前端部及び上記左右の側板１ｂ・１ｂの各前端部に着脱自在に嵌合可能な断面コ状の四角枠状の補強枠４を設け、しかして、上記枠本体１、補強枠４及び天板体２からなる本体Ｄの前面の開口部に引出体３が引出収納自在に設けられ、上記枠本体１、上記補強枠４、上記天板体２及び引出体３により収納ケースＫが形成されることになる。
【００１３】
又、この場合、図２、図３、図４、図６、図７の如く、上記枠本体１の底板１ａの前端部及び上記左右の側板１ｂ・１ｂの前端部に嵌合部Ｅを形成し、上記底面部、左右の両側部及び上面部からなる四角枠状の断面コ状の補強枠４の底面部、左右の両側部に断面コ状の嵌合溝部Ｑを形成し、嵌合部Ｅと嵌合溝部Ｑとの嵌合作用により底板１ａと左右の側板１ｂ・１ｂとのコ形状を保形して側板１ｂ・１ｂの起立状態Ｓ１ｂを保持し、側板１ｂ・１ｂの倒伏を防ぎ、かつ、上記枠本体１の上記底板１ａの前端部の底面に図示省略の掛止爪部を３個形成し、上記四角枠状の断面コ状の補強枠４の底面部に掛止溝部１ｉ・・を３個形成し、上記枠本体１の上記左右の側板１ｂ・１ｂの前端部に上下方向に３個宛計６個の図示省略の掛止溝部を形成し、補強枠４の左右両側部内面に図示省略の掛止爪部を３個宛計６個形成し、上記枠本体１の底板１ａの前端部及び上記左右の側板１ｂ・１ｂの各前端部に四角枠状の補強枠４を着脱自在に嵌合して構成している。
【００１４】
又、この場合、上記引出体３にあっては、合成樹脂製にして、図２、図５の如く、底板３ａ、前板３ｂ、左右の側板３ｃ・３ｃ、後板３ｄからなり、上記引出体３の上記底板３ａの左右辺部に上記引出体３の左右の側板３ｃ・３ｃが起立状態Ｓ３ｃと引出体３の底板３ａの上面に沿った倒伏状態Ｔ３ｃとに折畳自在に配置され、かつ、上記引出体３の底板３ａの後辺部に上記引出体３の後板３ｄが起立状態Ｓ３ｄと引出体３の底板３ａの上面に沿った倒伏状態Ｔ３ｄとに折畳自在に配置され、さらに、上記引出体３の底板３ａの前辺部に上記引出体３の前板３ｂが起立状態Ｓ３ｂと引出体３の底板３ａの上面に沿った倒伏状態Ｔ３ｂとに折畳自在に配置され、図５の如く、上記引出体３の底板３ａの上面に上記引出体３の左右の側板３ｃ・３ｃが引出体３の底板３ａの上面に沿って折り畳まれると共に引出体３の底板３ａの上面に沿って折り畳まれた上記引出体３の左右の側板３ｃ・３ｃの上面に上記引出体３の前板３ｂ及び後板３ｄが引出体３の底板３ａの上面に沿って折り畳まれることになる。
【００１５】
この場合、図２の如く、上記引出体３の前板３ｂの上辺部及び下辺部に上取手部ＨＵ及び下取手部ＨＤが形成されている。
【００１６】
この場合、上記天板体２にあっては、図３、図５、図６、図７、図８、図９、図１０、図１１、図１２、図１３の如く、木材製の四角板部材２ａ、この場合、中実木材製の四角板部材２ａ及び四角板部材２ａの四辺縁部を覆う合成樹脂製の周囲枠部材２ｂから製作され、この場合、周囲枠部材２ｂの上面板２ｂｕの裏面に四角板部材２ａの周側面２ａｓに嵌合可能な取囲壁部Ｆを形成し、周囲枠部材２ｂに上記四角板部材２ａの底面２ａｕに掛止可能な複数個、この場合、１２個の掛止爪部Ｃ・・を配設し、周囲枠部材２ｂの裏面の取囲壁部Ｆに四角板部材２ａの周側面２ａｓを嵌合し、複数個の掛止爪部Ｃ・・を弾性により四角板部材２ａの周側面２ａｓを乗り越えて掛止爪部Ｃを底面２ａｕに掛止し、周囲枠部材２ｂの上面板２ｂｕと係止爪部Ｃ・・により四角板部材２ａを挟持して固定するように構成している。
【００１７】
又、この場合、上記天板体２にあっては、上記枠本体１の上面を覆って枠本体１に着脱自在に取り付けられ、図６、図７、図８、図９、図１０の如く、枠本体１の左右の側板１ｂ・１ｂ及び後板１ｃの上端面に弾性爪部１ｊを９個形成し、天板体２の裏面に掛止爪部１ｋを９個形成し、弾性爪部１ｊと掛止爪部１ｋとの掛止作用により枠本体１の左右の側板１ｂ・１ｂ及び後板１ｃを天板体２に着脱自在に形成し、かつ、上記補強枠４の上面部に突出爪部１ｌを３個形成し、天板体２の裏面に係止溝部１ｍを３個形成し、突出爪部１ｌと係止溝部１ｍとの係止作用により補強枠４と天板体２とを着脱自在に構成している。
【００１８】
この実施の第一形態例は上記構成であるから、天板体２は木材製の四角板部材２ａ及び四角板部材２ａの四辺縁部を覆う合成樹脂製の周囲枠部材２ｂからなり、周囲枠部材２ｂに上記四角板部材２ａの底面に掛止可能な複数個の掛止爪部Ｃ・・を配設してなるから、四角板部材２ａの四辺縁部を覆う周囲枠部材２ｂの複数個の掛止爪部Ｃ・・が木材製の四角板部材２ａの底面に係止することにより四角板部材２ａの外周縁部に周囲枠部材２ｂを囲繞配設することができ、合成樹脂製の天板体に比べて天板体２の剛性が向上し、全体の強度が向上し、耐久性を高めることができ、かつ、上記天板体２の上面に木材製の四角板部材２ａが露見することになり、天板体２の上面から木質感が感得され、天板体２の上面の木質感が和風建物の畳の和室や居間、寝室などの和風空間に調和し、和風建物に相応しい天板体２とすることができる。
【００１９】
この場合、枠本体１にあっては、運搬時や保管時等の不使用時において、図３、図４、図５の如く、上記枠本体１の底板１ａの上面に上記枠本体１の左右の側板１ｂ・１ｂを起立状態Ｓ１ｂから枠本体１の底板１ａの上面に沿った倒伏状態Ｔ１ｂに折り畳むことができ、上記枠本体１の上記後板１ｃを起立状態Ｓ１ｃから枠本体１の底板１ａの底面に沿った倒伏状態Ｔ１ｃに途中位置Ｍを介して折り畳むことができ、上記枠本体１の底板１ａの上面に左右の側板１ｂ・１ｂが底板１ａの上面に沿って折り畳まれると共に枠本体１の底板１ａの底面に後板１ｃが底板１ａの底面に沿って折り畳まれ、使用時においては、不使用時の折畳状態から使用時の展開状態に展開することができ、不使用時において、左右の側板１ｂ・１ｂ及び後板１ｃを折り畳むことにより底板１ａ、左右の側板１ｂ・１ｂ、後板１ｃの四部材を略平板状に折り畳むことができ、枠本体１の嵩張りを防いで収納保管スペースを軽減することができ、コンパクトに収納保管することができ、不使用時の枠本体１の収納保管を容易に行うことができ、かつ、底板１ａ、左右の側板１ｂ・１ｂ、後板１ｃは相互に連結されているので、底板１ａ、左右の側板１ｂ・１ｂ、後板１ｃを各別に保管する必要が無く、底板１ａ、左右の側板１ｂ・１ｂ、後板１ｃの紛失を防止することができ、底板１ａ、左右の側板１ｂ・１ｂ、後板１ｃを相互に組み立てる必要が無く、購入後の組立作業を容易に行うことができ、老人や要介護者にとっても容易に組み立てることができ、使用の利便性を向上することができ、さらに、この場合、図２、図３、図４、図６、図７の如く、上記枠本体１の上記底板１ａの前端部及び上記左右の側板１ｂ・１ｂの各前端部に着脱自在に嵌合可能な四角枠状の補強枠４を設けてなるから、枠本体１の左右の側板１ｂ・１ｂの倒伏を防ぎ、左右の側板１ｂ・１ｂの起立状態Ｓ１ｂを保持することができ、枠本体１を保形することができ、枠本体１を安定的に設置することができる。
【００２０】
かつ、この場合、引出体３にあっては、運搬時や保管時等の不使用時において、図２、図５の如く、上記引出体３の底板３ａの上面に上記引出体３の左右の側板３ｃ・３ｃを起立状態Ｓ３ｃから引出体３の底板３ａの上面に沿った倒伏状態Ｔ３ｃに折り畳むことができ、引出体３の底板３ａの上面に沿って折り畳まれた上記引出体３の左右の側板３ｃ・３ｃの上面に上記引出体３の前板３ｂを起立状態Ｓ３ｂから引出体３の底板３ａの上面に沿った倒伏状態Ｔ３ｂに折り畳むことができ、引出体３の底板３ａの上面に沿って折り畳まれた上記引出体３の左右の側板３ｃ・３ｃの上面に上記引出体３の後板３ｄを起立状態Ｓ３ｄから引出体３の底板３ａの上面に沿った倒伏状態Ｔ３ｄに折り畳むことができ、上記引出体３の底板３ａの上面に左右の側板３ｃ・３ｃが底板３ａの上面に沿って折り畳まれると共に引出体３の底板３ａの上面に前板３ｂ及び後板３ｄが底板３ａの上面に沿って折り畳まれ、使用時においては、不使用時の折畳状態から使用時の展開状態に展開することができ、不使用時において、前板３ｂ、左右の側板３ｃ・３ｃ、後板３ｄを折り畳むことにより底板３ａ、前板３ｂ、左右の側板３ｃ・３ｃ、後板３ｄの五部材を略平板状に折り畳むことができ、引出体３の嵩張りを防いで収納保管スペースを軽減することができ、コンパクトに収納保管することができ、不使用時の引出体３の収納保管を容易に行うことができ、かつ、底板３ａ、前板３ｂ、左右の側板３ｃ・３ｃ、後板３ｄは相互に連結されているので、底板３ａ、前板３ｂ、左右の側板３ｃ・３ｃ、後板３ｄを各別に保管する必要が無く、底板３ａ、前板３ｂ、左右の側板３ｃ・３ｃ、後板３ｄの紛失を防止することができ、底板３ａ、前板３ｂ、左右の側板３ｃ・３ｃ、後板３ｄを相互に組み立てる必要が無く、購入後の組立作業を容易に行うことができ、老人や要介護者にとっても容易に組み立てることができ、使用の利便性を向上することができる。
【００２１】
図１４乃至図１７の第二形態例は別例構造を示し、上記第一形態例と同様な同一態様部分には同一の符号を付して説明すると、この場合、図１４、図１５の如く、上記第一形態例と同様な底板１ａ、左右の側板１ｂ・１ｂ、後板１ｃからなる前面及び上面が開口した上下に積み重ね可能な２個の合成樹脂製の枠本体１・１と、積み重ねられた最上位の枠本体１の上面を覆う上記第一形態例と同様な合成樹脂製の天板体２と、２個の枠本体１・１及び天板体２からなる本体Ｄの前面の２個の開口部を介してそれぞれ引出収納自在に設けられ、上面が開口した２個の合成樹脂製の引出体３・３とからなり、上記２個の引出体３・３は上記第一形態例と同様に折畳自在に形成され、上記第一形態例と同様に、図１５、図１６の如く、上記各枠本体１・１の上記底板１ａの前端部及び上記左右の側板１ｂ・１ｂの各前端部に四角枠状の補強枠４を着脱自在に嵌合し、さらに、この場合、下段の枠本体１及び補強枠４と上段の枠本体１及び補強枠４とは、上記第一形態例における天板体２と枠本体１との着脱構造と同様な着脱構造が採用され、上記第一形態例の上記図６、図７、図８、図９、図１０の構造が採用され、下段の枠本体１の左右の側板１ｂ・１ｂ及び後板１ｃの上端面に弾性爪部１ｊを９個形成し、上段の枠本体１の裏面に掛止爪部１ｋを９個形成し、弾性爪部１ｊと掛止爪部１ｋとの掛止作用により下段の枠本体１の左右の側板１ｂ・１ｂ及び後板１ｃを上段の枠本体１に着脱自在に形成し、かつ、上記下段の補強枠４の上面部に突出爪部１ｌを３個形成し、上段の枠本体１の底板１ａの底面に係止溝部１ｍを３個形成し、突出爪部１ｌと係止溝部１ｍとの係止作用により下段の補強枠４と上段の枠本体１とを着脱自在に構成している。
【００２２】
かつ、この場合、上記第一形態例と同様に、図３、図４、図５の如く、上記各枠本体１・１の底板１ａの左右辺部に上記左右の側板１ｂ・１ｂが起立状態Ｓ１ｂと底板１ａの上面に沿った倒伏状態Ｔ１ｂとに折畳自在に配置され、かつ、上記枠本体１・１の底板１ａの後辺部に上記後板１ｃが起立状態Ｓ１ｃと底板１ａの底面に沿った倒伏状態Ｔ１ｃとに折畳自在に配置され、上記各枠本体１・１の底板１ａの上面に左右の側板１ｂ・１ｂが底板１ａの上面に沿って折り畳まれると共に各枠本体１・１の底板１ａの底面に後板１ｃが底板１ａの底面に沿って折り畳まれ、さらに、上記各枠本体１・１の底板１ａの前端部及び上記左右の側板１ｂ・１ｂの各前端部に上記第一形態例と同様に四角枠状の補強枠４を着脱自在に嵌合し、所謂、二段式の収納ケースＫとして構成している。
【００２３】
この場合、上記天板体２にあっては、上記第一形態例と同様に、図３、図５、図６、図７、図８、図９、図１０、図１１、図１２、図１３の如く、木材製の四角板部材２ａ、この場合、中実木材製の四角板部材２ａ及び四角板部材２ａの四辺縁部を覆う合成樹脂製の周囲枠部材２ｂから製作され、この場合、周囲枠部材２ｂの上面板２ｂｕの裏面に四角板部材２ａの周側面２ａｓに嵌合可能な取囲壁部Ｆを形成し、周囲枠部材２ｂに上記四角板部材２ａの底面２ａｕに掛止可能な複数個、この場合、１２個の掛止爪部Ｃ・・を配設し、周囲枠部材２ｂの裏面の取囲壁部Ｆに四角板部材２ａの周側面２ａｓを嵌合し、複数個の掛止爪部Ｃ・・を弾性により四角板部材２ａの周側面２ａｓを乗り越えて掛止爪部Ｃを底面２ａｕに掛止し、周囲枠部材２ｂの上面板２ｂｕと係止爪部Ｃ・・により四角板部材２ａを挟持して固定するように構成している。
【００２４】
かつ、この場合、上記天板体２にあっては、上記最上位の枠本体１の上面を覆って枠本体１に着脱自在に取り付けられ、上記第一形態例と同様に、図６、図７、図８、図９、図１０の如く、枠本体１の左右の側板１ｂ・１ｂ及び後板１ｃの上端面に弾性爪部１ｊを９個形成し、天板体２の裏面に掛止爪部１ｋを９個形成し、弾性爪部１ｊと掛止爪部１ｋとの掛止作用により枠本体１の左右の側板１ｂ・１ｂ及び後板１ｃを天板体２に着脱自在に形成し、かつ、上記補強枠４の上面部に突出爪部１ｌを３個形成し、天板体２の裏面に係止溝部１ｍを３個形成し、突出爪部１ｌと係止溝部１ｍとの係止作用により補強枠４と天板体２とを着脱自在に構成している。
【００２５】
この実施の第二形態例にあっても、上記第一形態例と同様に、天板体２は木材製の四角板部材２ａ及び四角板部材２ａの四辺縁部を覆う合成樹脂製の周囲枠部材２ｂからなり、周囲枠部材２ｂに上記四角板部材２ａの底面に掛止可能な複数個の掛止爪部Ｃ・・を配設してなるから、四角板部材２ａの四辺縁部を覆う周囲枠部材２ｂの複数個の掛止爪部Ｃ・・が木材製の四角板部材２ａの底面に係止することにより四角板部材２ａの外周縁部に周囲枠部材２ｂを囲繞配設することができ、合成樹脂製の天板体に比べて天板体２の剛性が向上し、全体の強度が向上し、耐久性を高めることができ、かつ、上記天板体２の上面に木材製の四角板部材２ａが露見することになり、天板体２の上面から木質感が感得され、天板体２の上面の木質感が和風建物の畳の和室や居間、寝室などの和風空間に調和し、和風建物に相応しい天板体２とすることができる。
【００２６】
又、この場合、上記第一形態例と同様に、各枠本体１・１にあっては、運搬時や保管時等の不使用時において、上記２個の各枠本体１・１の底板１ａの上面に上記各枠本体１・１の左右の側板１ｂ・１ｂを起立状態Ｓ１ｂから各枠本体１・１の底板１ａの上面に沿った倒伏状態Ｔ１ｂに折り畳むことができ、上記各枠本体１・１の上記後板１ｃを第一形態例と同様に、起立状態Ｓ１ｃから各枠本体１・１の底板１ａの底面に沿った倒伏状態Ｔ１ｃに途中位置Ｍを介して折り畳むことができ、上記各枠本体１・１の底板１ａの上面に左右の側板１ｂ・１ｂが底板１ａの上面に沿って折り畳まれると共に各枠本体１・１の底板１ａの底面に後板１ｃが底板１ａの底面に沿って折り畳まれ、使用時においては、不使用時の折畳状態から使用時の展開状態に展開することができ、不使用時において、左右の側板１ｂ・１ｂ及び後板１ｃを折り畳むことにより底板１ａ、左右の側板１ｂ・１ｂ、後板１ｃの四部材を略平板状に折り畳むことができ、各枠本体１・１の嵩張りを防いで収納保管スペースを軽減することができ、コンパクトに収納保管することができ、不使用時の各枠本体１・１の収納保管を容易に行うことができ、かつ、底板１ａ、左右の側板１ｂ・１ｂ、後板１ｃは相互に連結されているので、底板１ａ、左右の側板１ｂ・１ｂ、後板１ｃを各別に保管する必要が無く、底板１ａ、左右の側板１ｂ・１ｂ、後板１ｃの紛失を防止することができ、底板１ａ、左右の側板１ｂ・１ｂ、後板１ｃを相互に組み立てる必要が無く、購入後の組立作業を容易に行うことができ、老人や要介護者にとっても容易に組み立てることができ、使用の利便性を向上することができ、さらに、上記第一形態例と同様に、上記各枠本体１・１の上記底板１ａの前端部及び上記左右の側板１ｂ・１ｂの各前端部にそれぞれ着脱自在に嵌合可能な四角枠状の補強枠４・４を設けてなるから、各枠本体１・１の左右の側板１ｂ・１ｂの倒伏を防ぎ、左右の側板１ｂ・１ｂの起立状態Ｓ１ｂを保持することができ、各枠本体１・１を保形することができ、各枠本体１・１を安定的に設置することができる。
【００２７】
この場合、上記各引出体３・３にあっては、運搬時や保管時等の不使用時において、上記第一形態例と同様に、上記２個の各引出体３・３の底板３ａの上面に上記各引出体３・３の左右の側板３ｃ・３ｃを起立状態Ｓ３ｃから各引出体３・３の底板３ａの上面に沿った倒伏状態Ｔ３ｃに折り畳むことができ、上記第一形態例と同様に、各引出体３・３の底板３ａの上面に沿って折り畳まれた上記各引出体３・３の左右の側板３ｃ・３ｃの上面に上記各引出体３・３の前板３ｂを起立状態Ｓ３ｂから各引出体３・３の底板３ａの上面に沿った倒伏状態Ｔ３ｂに折り畳むことができ、上記第一形態例と同様に、各引出体３・３の底板３ａの上面に沿って折り畳まれた上記各引出体３・３の左右の側板３ｃ・３ｃの上面に上記各引出体３・３の後板３ｄを起立状態Ｓ３ｄから各引出体３・３の底板３ａの上面に沿った倒伏状態Ｔ３ｄに折り畳むことができ、上記各引出体３・３の底板３ａの上面に左右の側板３ｃ・３ｃが底板３ａの上面に沿って折り畳まれると共に各引出体３・３の底板３ａの上面に前板３ｂ及び後板３ｄが底板３ａの上面に沿って折り畳まれ、使用時においては、不使用時の折畳状態から使用時の展開状態に展開することができ、不使用時において、前板３ｂ、左右の側板３ｃ・３ｃ、後板３ｄを折り畳むことにより底板３ａ、前板３ｂ、左右の側板３ｃ・３ｃ、後板３ｄの五部材を略平板状に折り畳むことができ、各引出体３・３の嵩張りを防いで収納保管スペースを軽減することができ、コンパクトに収納保管することができ、不使用時の各引出体３・３の収納保管を容易に行うことができ、かつ、底板３ａ、前板３ｂ、左右の側板３ｃ・３ｃ、後板３ｄは相互に連結されているので、底板３ａ、前板３ｂ、左右の側板３ｃ・３ｃ、後板３ｄを各別に保管する必要が無く、底板３ａ、前板３ｂ、左右の側板３ｃ・３ｃ、後板３ｄの紛失を防止することができ、底板３ａ、前板３ｂ、左右の側板３ｃ・３ｃ、後板３ｄを相互に組み立てる必要が無く、購入後の組立作業を容易に行うことができ、老人や要介護者にとっても容易に組み立てることができ、使用の利便性を向上することができる。
【００２８】
尚、本考案は上記実施の形態例のものに限られず、例えば、枠本体１の数、段数、大きさ、天板体２の形状、四角板部材２ａ、周囲枠部材２ｂ、引出体３の個数の構造等は用途に応じて定められるものである。
【００２９】
以上の如く、所期の目的を充分達成することができる。
【符号の説明】
【００３０】
Ｋ    収納ケース
Ｄ    本体
Ｃ    掛止爪部
１    枠本体
２    天板体
２ａ    四角板部材
２ｂ    周囲枠部材
３    引出体
【図１】
0003224317.tif 000003
【図２】
0003224317.tif 000004
【図３】
0003224317.tif 000005
【図４】
0003224317.tif 000006
【図５】
0003224317.tif 000007
【図６】
0003224317.tif 000008
【図７】
0003224317.tif 000009
【図８】
0003224317.tif 000010
【図９】
0003224317.tif 000011
【図１０】
0003224317.tif 000012
【図１１】
0003224317.tif 000013
【図１２】
0003224317.tif 000014
【図１３】
0003224317.tif 000015
【図１４】
0003224317.tif 000016
【図１５】
0003224317.tif 000017
【図１６】
0003224317.tif 000018
【図１７】
0003224317.tif 000019
【手続補正書】
【提出日】令和1年10月16日(2019.10.16)
【手続補正１】
【補正対象書類名】実用新案登録請求の範囲
【補正対象項目名】請求項２
【補正方法】変更
【補正の内容】
【請求項２】
前面及び上面が開口した上下に積み重ねるための着脱構造を有する複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、上面が開口した複数個の合成樹脂製の引出体とからなり、上記天板体は木材製の四角板部材及び該四角板部材の四辺縁部を覆う合成樹脂製の周囲枠部材からなり、該周囲枠部材に上記四角板部材の底面に掛止可能な複数個の掛止爪部を配設してなることを特徴とする収納ケース。
【手続補正２】
【補正対象書類名】明細書
【補正対象項目名】０００６
【補正方法】変更
【補正の内容】
【０００６】
又、請求項２記載の考案は、前面及び上面が開口した上下に積み重ねるための着脱構造を有する複数個の合成樹脂製の枠本体と、該積み重ねられた最上位の枠本体の上面を覆う天板体と、該複数個の枠本体及び天板体からなる本体の前面の複数個の開口部を介してそれぞれ引出収納自在に設けられ、上面が開口した複数個の合成樹脂製の引出体とからなり、上記天板体は木材製の四角板部材及び該四角板部材の四辺縁部を覆う合成樹脂製の周囲枠部材からなり、該周囲枠部材に上記四角板部材の底面に掛止可能な複数個の掛止爪部を配設してなることを特徴とする収納ケースにある。